(57)【要約】      （修正有）【課題】簡便な手帳型スマートフォンケースを提供する。【解決手段】２つ折りの表側シート部２Ｂ及び裏側シート部２Ｃによってスマートフォン３を挟み込み保持する手帳型スマートフォンケース１において、表側シート部２Ｂに設けた操作窓１１を通してスマートフォン３の情報処理機能を実行させ、かつ裏側シート部２Ｃに設けたスライダによってスライドさせることによりスマートフォン３のカメラ機能を実行させることができる簡便な操作をなし得る手帳型スマートフォンケース１を実現できる。【選択図】図１
0003212454.tif 000002
【実用新案登録請求の範囲】
【請求項１】
２つ折りにした表側シート部及び裏側シート部によってスマートフォンを間に挟むことにより当該スマートフォンを保護する手帳型スマートフォンケースにおいて、
上記表側シート部は周囲の枠体部によって囲まれた操作窓に保護被膜を設けた構成を有し、
上記裏側シート部にはスライド板上に上記スマートフォンを接着保持したスライダが設けられることによりユーザが上記操作窓を通して上記保護被膜を介して上記スマートフォンのタッチパネル面の操作要素を利用して上記スマートフォンに情報処理機能を実行させることができ、かつユーザが上記スライダをスライド動作させることにより上記スマートフォンのカメラ部を上記表側シート部及び上記裏側シート部の外側に突出させることによってカメラ機能を実行させることができる
ことを特徴とする手帳型スマートフォンケース。
【請求項２】
上記手帳型スマートフォンケースは、上記スマートフォンのスピーカ及びマイクロホンに対応する位置に、スピーカ用穴及びマイクロホン用穴を有し、ユーザは上記表側シート部を上記裏側シート側に閉じた状態で上記手帳型スマートフォンケースを把持して上記スピーカ用穴及び上記マイクロホン用穴を通じて通話音を通すことにより上記スマートフォンの電話機能を実行させることができる
ことを特徴とする請求項１に記載の手帳型スマートフォンケース。
【請求項３】
ユーザは、上記表側シート部及び上記裏側シート部の後端間から上記スマートフォンを指で押し込むことにより上記スライダのスライド動作を利用して当該スマートフォンのカメラ部を上記表側シート部及び上記裏側シート部から前方に突出させることができるようにした
ことを特徴とする請求項１に記載の手帳型スマートフォンケース。
【請求項４】
上記表側シート部の上記枠体部の裏側表面に上記操作窓を被うように上記保護被膜を重ね合わせると共に、当該保護被膜上に上記枠体部とほぼ同じ形状の固定枠を重ね合わせた状態で、当該固定枠、上記保護被膜及び枠体部をミシン糸で縫い合せた
ことを特徴とする請求項１に記載の手帳型スマートフォンケース。
【請求項５】
上記表側シート部の上記枠体部の裏側表面に上記操作窓を被うように上記保護被膜を設けると共に、上記枠体部の内面に沿うように上記表側シート部の表面側から窓枠を差し込むことにより上記窓枠によって上記本体部の内側端面を隠すと共に上記窓枠の内面によって上記操作窓を形成する
ことを特徴とする請求項１に記載の手帳型スマートフォンケース。
【考案の詳細な説明】
【技術分野】
【０００１】
本考案は手帳型スマートフォンケースに関し、特にスマートフォンをできるだけ簡便に操作できるようにしようとするものである。
【背景技術】
【０００２】
従来、ユーザが手で持ち運びながら情報処理操作や通話操作をできるようにした携帯用電子機器として、当該携帯用電子機器本体を落とした時にケースや付属品を壊したり、汚したりする恐れがある場合には、電子機器本体を２つ折りできる手帳型保護シートによって挟み込んだ状態で使用するようにしたものが提案されている（特許文献１参照）。
【先行技術文献】
【特許文献】
【０００３】
【特許文献１】特開２０１５−１４９７８２号公報
【考案の概要】
【考案が解決しようとする課題】
【０００４】
ところで、従来の携帯用電子機器における手帳型保護シートは、ユーザが電子機器を操作しようとするとき、毎回、手帳を開かないと操作ができないので、機能が十分でない挟み込み構造になっており、これを改善することが望ましい。
【０００５】
本考案は以上の点を考慮してなされたもので、手帳型保護シート部材によって挟み込まれたスマートフォンをユーザが情報の入出力操作をしたり、カメラ機能を使ったり、通信機能を使ったりする場合に、一段と簡便さを大きくした手帳型スマートフォンケースを提案しようとするものである。
【課題を解決するための手段】
【０００６】
かかる課題を解決するため本考案においては、２つ折りにした表側シート部２Ｂ及び裏側シート部２Ｃによってスマートフォン３を間に挟むことにより当該スマートフォン３を保護する手帳型スマートフォンケース１において、表側シート部２Ｂは周囲の枠体部１３によって囲まれた操作窓１１に保護被膜１２を設けた構成を有し、裏側シート部２Ｃにはスライド板１８上にスマートフォン３を接着保持したスライダ１５が設けられることによりユーザが操作窓１１を通して保護被膜１２を介してスマートフォン３のタッチパネル面５の操作要素を利用してスマートフォン３を情報処理機能を実行させることができ、かつユーザがスライダ１５をスライド動作させることによりスマートフォン３のカメラ部３５を表側シート部２Ｂ及び裏側シート部２Ｃの外側に突出させることによってカメラ機能を実行させることができるようにする。
【考案の効果】
【０００７】
本考案によれば、２つ折りの表側シート部及び裏側シート部によってスマートフォンを挟み込み保持する手帳型スマートフォンケースにおいて、表側シート部に設けた操作窓を通してスマートフォンの情報処理機能を実行させ、かつ裏側シート部に設けたスライダによってスライドさせることによりスマートフォンのカメラ機能を実行させることができる簡便な操作をなし得る手帳型スマートフォンケースを実現できる。
【図面の簡単な説明】
【０００８】
【図１】本考案による手帳型スマートフォンケースの全体構成を示す斜視図である。
【図２】図１の表側シート部２Ｂを裏側シート部２Ｃから開いた状態を示す斜視図である。
【図３】表側シート部２Ｂに対する保護被膜１２の取付加工の説明に供する略線的斜視図である。
【図４】図１のスライダ機構の説明に供する略線的斜視図である。
【図５】手帳型スマートフォンケースの使用態様を示す斜視図である。
【図６】電話機能の説明に供する略線的斜視図である。
【図７】写真モードの説明に供する略線的斜視図である。
【図８】スマートフォンの押し上げ動作の説明に供する斜視図である。
【図９】従来の写真操作の説明に供する略線的斜視図である。
【図１０】（Ａ）及び（Ｂ）は第２の実施の形態を示す略線的斜視図である。
【図１１】（Ａ）及び（Ｂ）は第３の実施の形態を示す斜視図及び断面図である。
【図１２】窓枠部材の嵌込み構造の説明に供する略線的斜視図である。
【考案を実施するための形態】
【０００９】
以下図面について本考案の一実施の形態を詳述する。
【００１０】
（１）第１の実施の形態
図１において、１は全体として手帳型スマートフォンケースを示し、２つ折り部２Ａによって連接された表側シート部２Ｂと裏側シート部２Ｃとによってスマートフォン３を間に挟んで保持し（この構成を手帳型と呼ぶ）、この保持状態を留めシート部材４によって保持する。
【００１１】
この実施の形態の場合、手帳型スマートフォンケース１の前後方向の幅は、図２において開いた状態を示すように、スマートフォン３の前後方向の幅よりわずかに長くなるように選定されると共に、横方向の幅がスマートフォン３の横幅よりわずかに広くなるように選定され、これによりスマートフォン３の表面及び裏面が全体として表側シート部２Ｂ及び裏側シート部２Ｃによって被い被されるようになされ、その結果例え誤って手帳型スマートフォンケース１を手から取り落とした場合にも、スマートフォン３の端部やタッチパネル面５が外部の障害物に直接当たることを防止するような保護機能を実現する。
【００１２】
表側シート部２Ｂには、スマートフォン３のタッチパネル面５の縦幅及び横幅より大きな縦幅及び横幅を有する操作窓１１が穿設されており、これにより図１に示すように表側シート部２Ｂを裏側シート部２Ｃ側に２つ折りした状態で留めシート部材４によって２つ折り状態を保持したとき、ユーザは操作窓１１に設けられた保護被膜１２を通して外部からタッチパネル面５上に表示されたタッチ要素をすべて見分けることができると共に、ユーザは当該タッチ要素を指で触れることにより、スマートフォン３に操作指令を入力できるようになされている。
【００１３】
この実施の形態の場合、保護被膜１２は透明な合成樹脂材料でなる保護フィルムや透明な保護ガラスが用いられ、図３に示すように、表側シート部２Ｂの内側外周面部分に設けられた枠体部１３に保護被膜１２の外周面部を接着させることにより表側シート部２Ｂの内面に保護被膜１２が取り付けられ、これにより表側シート部２Ｂが裏側シート部２Ｃ側に閉じられたとき保護被膜１２が直接スマートフォン３のパネル面に接触ないし近接した状態を維持できるようになされている。
【００１４】
かくして操作窓１１を通って外部から衝撃が与えられても、当該衝撃がスマートフォン３のタッチパネル面５に当ることを防止し、これによりタッチパネル面５の損傷や割れなどの衝撃からタッチパネル面５を守るようになされている。
【００１５】
また手帳型スマートフォンケース１は表側シート部２Ｂを裏側シート部２Ｃ側に閉じた状態においてスマートフォン３のタッチパネル面５上に着信があった場合にはユーザがディスプレイへの表示を保護被膜１２を介して目視確認できると共に、ユーザが保護被膜１２を介してタッチパネル面５に対してタッチ操作することにより命令を入力したとき、当該命令にスマートフォン３が応答できるようになされている。
【００１６】
この実施の形態の場合、図４に示すように、裏側シート部２Ｃにおいてスマートフォン３との間に薄型のスライダ１５が設けられている。
【００１７】
当該スライダ１５は枠体１６の内側面に設けられたスライド溝１７によって前後方向に案内されるスライド板１８が嵌込まれ、当該スライド板１８の係止部材１９が後方位置に設けられた係止溝２０Ａ又は前方位置に設けられた係止溝２０Ｂに落ち込む状態に前後方向にスライドできるようになされている。
【００１８】
スライド板１８の表面には粘着層材２１が設けられており、この粘着層材２１にスマートフォン１３の背面板部が粘着されることにより、スマートフォン３がスライド板１８と一体に前後方向にスライドできるようになされ、これによりスライド板１８の係止部材１９が前方の係止溝２０Ｂに嵌まり込んだ状態になったとき、スマートフォン３の前方に設けられているカメラ部が裏側シート部２Ｃより前方に突出した状態に維持される。
【００１９】
このときユーザはスマートフォン３の撮影機能を動作させることにより、カメラ部による映像を撮影できるようになされている。
【００２０】
このようなカメラ部による撮影動作をさせないときには、ユーザはスマートフォン３を、スライド板１８の係止部材１９を後方の係止溝２０Ａに係止させるような状態に後方にスライドさせることにより、スマートフォン３を裏側シート部２Ｃ内に戻した状態にできる。
【００２１】
この実施の形態の場合、スライド板１８は内部に設けたスプリング機構によって係止部材１９を係止溝２０Ａ又は２０Ｂにクリック動作によって係止保持させるようになされている。
【００２２】
以上の構成において、手帳型スマートフォンケース１はスマートフォン３の使用モード状態においては、図５に示すように、表面側シート部２Ｂを裏側シート部２Ｃに対して閉じた状態においてユーザが操作窓１１を通じてスマートフォン３を操作できる動作状態にする。
【００２３】
このとき操作窓１１にはスマートフォン３のタッチパネル５を表示した状態になり、ユーザはファンクションボタン２５をはじめとしてタッチパネル面５上に表示されている操作要素のすべてを目視確認しながら、操作窓１１の保護被膜１２を通してタッチパネル５上の操作要素を操作することにより、スマートフォン３の情報処理機能を実行させることができる。
【００２４】
そしてスマートフォン３の電話機能を使用する場合には、図６に示すように、ユーザ３１は手帳型スマートフォンケース１の表側シート部２Ｂを裏側シート部２Ｃに対して閉じた状態のまま、手帳型スマートフォンケース１を例えば左手３２に把持したまま耳３３に近づけた状態で通話をすればよい。
【００２５】
この結果スマーフォン３から放音される相手方の声は、スマートフォン３の表面上端部に設けられているスピーカからユーザ３１の耳３３に到達できると共に、ユーザ３１の送話音はスマートフォン３の下端面に設けられているマイクロフォンを通じて相手方に送信される。
【００２６】
この実施の形態の場合、当該電話機能を有効化するために、図５に示すように、スマートフォン３の表面のスピーカに対応する表側シート部２Ｂの上端部に１つ又は複数個のスピーカ用穴４１を穿設することにより、スマーフォン３の上端表面に設けられているスピーカ穴から放出される相手方の通話音を直接ユーザ３１の耳３３に受け止めることができる。
【００２７】
これと同時に、この実施の形態の場合、表側シート部２Ｂの下側端位置に１個又は複数個のマイク用穴４２を穿設し、このマイク用穴４２を介してユーザ３１の口から出る通話音をスマートフォン３のマクロフォンに直接的に伝えることができるようになされている。
【００２８】
かくして図５及び図６の実施の形態のように、ユーザ３１がスマートフォンケース１を無造作に左手３１Ａで掴んた状態で通話しても、相手方の通話音やユーザの通話音を問題なくスマートフォン３との間で良好な音量及び音質で受け渡すことができる。
【００２９】
これに加えてユーザはスマートフォン３のカメラを使用する写真モードにおいて写真を撮影する場合には、図７に示すように、スマートフォン３を表側シート部２Ｂ及び裏側シート部２Ｃに対して前方にスライドさせることによりスマートフォン３のカメラ部３５を表側シート部２Ｂ及び裏側シート部２Ｃより前方に突出させ、この状態において手帳型スマートフォンケース１を把持している左手３２の親指３２Ｘを使って操作窓１１から見えるタッチパネル５上のシャッタ３４を押圧操作することにより撮影動作をさせる。
【００３０】
ここでスマートフォン３を手帳型スマートフォンケース１から突出させる操作は、図８に示すように、表側シート部２Ｂ及び裏側シート部２Ｃの間に挟まるように保持されているスマートフォン３を、右手３６の指を表側シート部２Ｂと裏側シート部２Ｃとの間の空間を利用して差し込んで前方に押し上げることにより、スマートフォン３を前方に突出させることができる。
【００３１】
かくしてスマートフォン３を外部からの障害を防ぐために挟み込んだ表側シート部２Ｂ及び裏側シート部２Ｃの構成についてユーザが指でスマートフォン３を押すだけの空間があることを利用してスマートフォン３を簡便にスライドできるような使い方をすることができる。
【００３２】
このようなカメラ機能を実行するにつき、ユーザは手帳型スマートフォンケース１の表側シート部２Ｂを開く操作をすることなく、左手３２によってスマートフォンケース１を把持した状態のままカメラ機能を実現できる。
【００３３】
因みに、従来のスマートフォンケースにおいては、図９において図７の対応部分の符号に沿え字Ｘを付して示すように、スマートフォンケース１Ｘの表側シート部２ＢＸを裏側シート部２ＣＸから開いてスマートフォン３Ｘのタッチパネル５Ｘを露出させた状態において、シャッタ３４Ｘを操作することによりカメラ部３５Ｘを動作させる必要がある。
【００３４】
このとき裏側シート部２ＣＸから表側シート部２ＢＸを開いた状態に維持するため、ユーザは左手３２Ｘの指をスマートフォンケース２Ｘを保持するために用いる必要があることから、シャッタ３４Ｘの操作を右手３６Ｘによって行わざるを得ない状態になり、この分ユーザの操作が一段と複雑になることを避け得ないのに対して、図７に示す実施の形態の場合は、かかる複雑な操作を一切することなくユーザは左手３２の指で手帳型スマートフォンケース１を保持した状態のままスマートフォン３のカメラ操作を簡便に行い得る。
【００３５】
（２）第２の実施の形態
図１０は第２の実施の形態を示すもので、この場合表側シート部２Ｂに対して保護被膜１２を取り付ける構成として、図１０（Ａ）に示すように表側シート部２Ｂの裏側に操作窓１１を被うように保護被膜１２を設けると共に、その外側に操作窓１１と同様の形状を有する開口３５Ｘを設けた矩形枠体３５を重ね合わせ、この状態において、図１０（Ｂ）に示すように、矩形枠体３５において開口３５Ｘに沿うようにミシン糸３７によって表側シート部２Ｂに縫い付けるような加工をする。
【００３６】
図１０の構成によれば、表側シート部２Ｂの操作窓１１を被う保護被膜１２の取付構造が一段と安定であるとユーザが安心して手に持てるような手帳型スマートフォンケース１を実現することができる。
【００３７】
（３）第３の実施の形態
図１１（Ａ）は第３の実施の形態の手帳型スマートフォンケース１を示すもので、図１２に示すように、表側シート部２Ｂに形成された操作窓１１に表側から差し込むように窓枠４０が設けられている。
【００３８】
窓枠４０は図１１（Ｂ）に示すように、操作窓１１の内周縁に当接する当接枠部材４０Ａによって表面シート部２Ｂに支持される窓枠部材４０Ｂが形成され、この窓枠部材４０Ｂの内側端面が保護被膜１２を介してスマートフォン３を抑えるようになされている。
【００３９】
かくして窓枠４０の窓枠部材４０Ｂによって取り囲まれた透視空間４１を通してスマートフォン３のタッチパネル面５の操作をユーザが指で保護被膜１２に接触操作する際に、ユーザの指が不規則に上下左右に動いたとしても、当該ユーザの指の動きが窓枠４０の窓枠部材４０Ｂによって留めることができることにより、ユーザは一段と容易にスマートフォン３のタッチパネル面５の操作要素にタッチすることができる。
【００４０】
かくするにつき、窓枠部材４０Ｂが表側シート部２Ｂに形成された操作枠１１の内側周辺に沿って形成されていることにより、操作窓１１の透視空間４１が操作窓１１の周辺の断面構造を隠す額縁のような外観を与えることができる。
【００４１】
この場合当該窓枠４０はプラスチック材料で作ることができ、従ってこれにメッキ等の色付け加工も容易にできることにより手帳型スマートフォンケース１の美観をさらに向上させることができる。
【００４２】
（４）他の実施の形態
（４−１）図４の実施の形態においては、スライド溝１７に設けた係止溝２０Ａ、２０Ｂに係止部材１９を落ち込ませることによりスライド位置を決めるようにした場合について述べたが、本考案はこれに限らず、種々の構成のものを適用でき、要はスマートフォン３を裏側シート部２Ｃの前方に突出させたり、元に戻したりできるようにすれば良い。
【００４３】
（４−２）上述の実施の形態においては、操作窓１１として、１機種のスマートフォン３に適合する大きさのものを表示できるようにした場合について述べたが、これに代え、複数機種のスマートフォンのタッチパネル面５を表示できる大きさに選定しても、上述の場合と同様の効果を得ることができる。
【産業上の利用可能性】
【００４４】
本考案はスマートフォンを携帯する場合に利用することができる。
【符号の説明】
【００４５】
１……手帳型スマートフォンケース、２Ａ……２つ折り部、２Ｂ……表側シート部、２Ｃ……裏側シート部、４……留めシート部材、５……タッチパネル面、１１……操作窓、１２……保護被膜、１５……スライダ、１８……スライド板、３１……ユーザ、３２……左手、３３……耳、３６……右手、３５……固定枠、４０……窓枠。
【図１】
0003212454.tif 000003
【図２】
0003212454.tif 000004
【図３】
0003212454.tif 000005
【図４】
0003212454.tif 000006
【図５】
0003212454.tif 000007
【図６】
0003212454.tif 000008
【図７】
0003212454.tif 000009
【図８】
0003212454.tif 000010
【図９】
0003212454.tif 000011
【図１０】
0003212454.tif 000012
【図１１】
0003212454.tif 000013
【図１２】
0003212454.tif 000014
【手続補正書】
【提出日】平成29年7月11日(2017.7.11)
【手続補正１】
【補正対象書類名】実用新案登録請求の範囲
【補正対象項目名】全文
【補正方法】変更
【補正の内容】
【実用新案登録請求の範囲】
【請求項１】
２つ折りにした表側シート部及び裏側シート部によってスマートフォンを間に挟むことにより当該スマートフォンを保護する手帳型スマートフォンケースにおいて、
上記表側シート部は周囲の枠体部によって囲まれた操作窓に保護被膜を設けた構成を有し、
上記裏側シート部にはスライド板上に上記スマートフォンを接着保持したスライダが設けられることによりユーザが上記操作窓を通して上記保護被膜を介して上記スマートフォンのタッチパネル面の操作要素を利用して上記スマートフォンに情報処理機能を実行させることができ、かつユーザが上記スライダをスライド動作させることにより上記スマートフォンのカメラ部を上記表側シート部及び上記裏側シート部の外側に突出させることによってカメラ機能を実行させることができる
ことを特徴とする手帳型スマートフォンケース。
【請求項２】
上記手帳型スマートフォンケースは、上記スマートフォンのスピーカ及びマイクロホンに対応する位置に、スピーカ用穴及びマイクロホン用穴を有し、ユーザは上記表側シート部を上記裏側シート部側に閉じた状態で上記手帳型スマートフォンケースを把持して上記スピーカ用穴及び上記マイクロホン用穴を通じて通話音を通すことにより上記スマートフォンの電話機能を実行させることができる
ことを特徴とする請求項１に記載の手帳型スマートフォンケース。
【請求項３】
ユーザは、上記表側シート部及び上記裏側シート部の後端間から上記スマートフォンを指で押し込むことにより上記スライダのスライド動作を利用して当該スマートフォンのカメラ部を上記表側シート部及び上記裏側シート部から前方に突出させることができるようにした
ことを特徴とする請求項１に記載の手帳型スマートフォンケース。
【請求項４】
上記表側シート部の上記枠体部の裏側表面に上記操作窓を被うように上記保護被膜を重ね合わせると共に、当該保護被膜上に上記枠体部とほぼ同じ形状の固定枠を重ね合わせた状態で、当該固定枠、上記保護被膜及び上記枠体部をミシン糸で縫い合せた
ことを特徴とする請求項１に記載の手帳型スマートフォンケース。
【請求項５】
上記表側シート部の上記枠体部の裏側表面に上記操作窓を被うように上記保護被膜を設けると共に、上記枠体部の内面に沿うように上記表側シート部の表面側から窓枠を差し込むことにより上記窓枠の内面によって上記操作窓を形成すると共に、上記窓枠によって上記操作窓の周辺の断面構造を隠す
ことを特徴とする請求項１に記載の手帳型スマートフォンケース。